(57)【要約】【課題】毛倒れが少なく、かつ、より毛腰の強いブラシ片を有する洗浄ブラシ用チャンネルブラシを提供する。【解決手段】被洗浄面に付着した塵埃を清掃する為の洗浄ブラシに使用するチャンネルブラシにおいて、前記チャンネルブラシは、帯鋼、芯線及びブラシ片より構成されてあり、前記ブラシ片を折り込んだ後、前記帯鋼及び前記芯線に挟みつけて形成されてあると共に、前記ブラシ片の少なくとも一方の外側面に、弾性を有する所定幅の接着層を形成した。【選択図】　　　　図４
2004033685.tif 000002
【特許請求の範囲】
【請求項１】
被洗浄面に付着した塵埃を清掃する為の洗浄ブラシに使用するチャンネルブラシにおいて、前記チャンネルブラシは、帯鋼、芯線及びブラシ片より構成されてあり、前記ブラシ片を折り込んだ後、前記帯鋼及び前記芯線に挟みつけて形成されてあると共に、前記ブラシ片の少なくとも一方の外側面に、弾性を有する所定幅の接着層が形成されてあることを特徴とする洗浄ブラシ用チャンネルブラシ。
【請求項２】
請求項１記載の構成よりなる洗浄ブラシ用チャンネルブラシにおいて、前記接着層は、前記ブラシ片の少なくとも一方の外側面に、前記帯鋼の端部に接合して形成されてあることを特徴とする洗浄ブラシ用チャンネルブラシ。
【発明の詳細な説明】
【０００１】
【発明の属する技術分野】
本発明は、被洗浄面に付着した塵埃を清掃する為の洗浄ブラシに使用するチャンネルブラシに関するものである。
【０００２】
【従来の技術】
従来の洗浄ブラシに使用するチャンネルブラシを、以下図１から図３を用いて説明する。
【０００３】
図１は、従来の洗浄ブラシに使用するチャンネルブラシの一例を示す斜視図である。図２は、従来の洗浄ブラシに使用するチャンネルブラシの台座の一例を示す斜視図である。図３は、従来の洗浄ブラシに使用するチャンネルブラシの製作状態を示す斜視図である。図１から図３において１はチャンネルブラシ、２はブラシ片、３は帯鋼、４は台座、５は止め金具、６は爪、７はネジ、８は洗浄ブラシ、９は端部、１０は芯線である。この方式において、チャンネルブラシ１は、ブラシ片２を帯鋼３及び芯線１０に挟みつけて製作される。台座４は、中空の円筒形状であり、両端近傍に、爪６を有する止め金具５がネジ７にて固定されてある。そして、台座４の外周部に、チャンネルブラシ１を巻き付ける事により、洗浄ブラシ８は製作される。このとき、止め金具５の爪６を、チャンネルブラシ１に倒し込むことにより、台座４にたいしてチャンネルブラシ１を固定する。
【０００４】
【発明が解決しようとする課題】
しかしながら、従来のチャンネルブラシ１は、ブラシ片２を折り込んで、帯鋼３及び芯線１０に挟みつけて製造されてあるので、ブラシ片２は、帯鋼３にて挟みつけられてある部分以外は、材質に応じた所定の毛倒れが、発生する構造であった。その為、毛倒れが少なく、かつ、より毛腰の強いチャンネルブラシが求められていた。
【０００５】
本発明は、上記のような問題を解決するためになされたもので、毛倒れが少なく、かつ、より毛腰の強いブラシ片を有するチャンネルブラシを提供することを目的としている。
【０００６】
【課題を解決するための手段】
本発明にかかる洗浄ブラシ用チャンネルブラシは、次のように構成したものである。
（１）被洗浄面に付着した塵埃を清掃する為の洗浄ブラシに使用するチャンネルブラシにおいて、前記チャンネルブラシは、帯鋼、芯線及びブラシ片より構成されてあり、前記ブラシ片を折り込んだ後、前記帯鋼及び前記芯線に挟みつけて形成されてあると共に、前記ブラシ片の少なくとも一方の外側面に、弾性を有する所定幅の接着層が形成されてあるものである。
【０００７】
（２）上記（１）記載の洗浄ブラシ用チャンネルブラシにおいて、前記接着層は、前記ブラシ片の少なくとも一方の外側面に、前記帯鋼の端部に接合して形成されてあるものである。
【０００８】
【発明の実施の形態】
実施の形態１
図４に実施の形態１を示す。図４は、本発明の実施の形態１の洗浄ブラシ用チャンネルブラシを示す斜視図である。図４において、１１はチャンネルブラシ、１２はブラシ片、１３は帯鋼、１４は外側面、１５は接着層、１６はスリット、１７は幅、１８、１９は端部、２０は芯線である。
【０００９】
本発明の洗浄ブラシ用チャンネルブラシは、図４の如く、断面が概Ｕ字形状に形成されてある帯鋼１３、芯線２０及びブラシ片１２より構成されてある。ブラシ片１２は、複数のスリット１６を有し、弾性を有する合成樹脂発泡体より形成されてあり、端部１９を形成するように、折り込んだ後、帯鋼１３及び芯線２０に挟みつけて形成されてある。ブラシ片１２の両外側面１４には、チャンネルブラシ１１の長手方向にたいして、弾性を有する幅１７の接着層１５が連続的に形成されてある。その為、ブラシ片１２は、接着層１５により、幅１７にて連結されて形成されてある。また、帯鋼１３の材質には、各種冷間あるいは熱間圧延鋼材、アルミニウム合金、ステンレス鋼、マグネシウム合金、チタン合金等が、使用されてある。
【００１０】
本発明の実施の形態１の洗浄ブラシ用チャンネルブラシは、上記の如くの構成となっている為、チャンネルブラシ１１の長手方向にたいして、ブラシ片１２の両外側面１４に連続的に形成されてある接着層１５が、ブラシ片１２の両外側面１４への毛倒れを防止することができる。また、ブラシ片１２は、接着層１５により、幅１７にて連結されて形成されてある為、ブラシ片１２の強度を強くすることができると共に、毛腰を強くすることができる。その為、被洗浄面に塵埃が強固に付着している場合であっても、迅速かつ効果的に掻き出すことができる。
【００１１】
本発明の実施の形態１の洗浄ブラシ用チャンネルブラシは、上記の如くの構成となっているが、ブラシ片１２の材料としては、接着層を形成することが可能な材料であるならば、使用する目的に応じて、適時、他に天然樹脂発泡体、合成樹脂発泡体、織布、不織布、編物、天然繊維、化学繊維、天然樹脂、合成樹脂、天然ゴム、合成ゴム、ゲル材、フィルム材、メッシュ材、ボア材あるいは紙等を使用しても、何ら支障は無い。また、接着層を形成している接着剤の種類についても、弾性を有する材料ならば、洗浄ブラシ用チャンネルブラシの使用目的に応じて、適時、設定しても何ら支障は無い。
【００１２】
また、図５にて実施の形態１の他の実施例を示す。図５は、本発明の実施の形態１の他の実施例の洗浄ブラシ用チャンネルブラシを示す斜視図である。図５において、２１はチャンネルブラシ、２２はブラシ片、２３は帯鋼、２４は外側面、２５、３５、４５は接着層、２６はスリット、２７、３７、４７は幅、２８、２９は端部、３０は芯線である。
【００１３】
本発明の実施の形態１の他の実施例の洗浄ブラシ用チャンネルブラシは、図５の如く、断面が概Ｕ字形状に形成されてある帯鋼２３、芯線３０及びブラシ片２２より構成されてある。ブラシ片２２は、複数のスリット２６を有し、弾性を有する合成樹脂発泡体より形成されてあり、端部２９を形成するように、折り込んだ後、帯鋼２３及び芯線３０に挟みつけて形成されてある。ブラシ片２２の両外側面２４には、チャンネルブラシ２１の長手方向にたいして、弾性を有する幅２７、３７、４７の接着層２５、３５、４５が連続的に形成されてある。その為、ブラシ片２２は、接着層２５、３５、４５により、幅２７、３７、４７にて連結されて形成されてある。また、幅は、幅２７、３７、４７の順に狭くなるように形成されてある。
【００１４】
本発明の実施の形態１の他の実施例の洗浄ブラシ用チャンネルブラシは、上記の如くの構成となっている為、チャンネルブラシ２１の長手方向にたいして、ブラシ片２２の両外側面２４に、連続的に形成されてある接着層２５、３５、４５が、ブラシ片２２の両外側２４への毛倒れを防止することができると共に、毛倒れにたいするブラシ片２２の反力を、端部２９から端部２８に近づく程、強く設定できる。また、ブラシ片２２は、接着層２５、３５、４５により、幅２７、３７、４７にて連結されて形成されてある為、ブラシ片２２の強度を強くすることができると共に、毛腰を端部２９から端部２８に近づく程、強くすることができる。その為、被洗浄面に塵埃が強固に付着している場合であっても、長期間にわたり、迅速かつ効果的に掻き出すことができる。
【００１５】
本発明の実施の形態１の他の実施例の洗浄ブラシ用チャンネルブラシは、上記の如くの構成となっているが、接着層の本数、幅、形成箇所については、使用する目的に応じて、適時、設定しても、何ら支障は無い。また、接着層の形状についても、洗浄ブラシを使用する目的に応じて、例えば、チャンネルブラシの長手方向にたいして、概波形形状を形成させたりする等、適時、設定しても何ら支障は無い。さらにまた、接着層に使用する接着剤の強度、乾燥時間等についても、例えば、チャンネルブラシを所定の台座等に巻きつけた後、一定時間経過後に完全硬化するような接着剤を選定しても、何ら支障は無い。
【００１６】
実施の形態２
図６に実施の形態２を示す。図６は、本発明の実施の形態２の洗浄ブラシ用チャンネルブラシを示す斜視図である。図６において、３１はチャンネルブラシ、３２はブラシ片、３３は帯鋼、３４は外側面、３６はスリット、３８、３９は端部、４０は芯線、５５は接着層、５７は幅である。
【００１７】
本発明の洗浄ブラシ用チャンネルブラシは、図６の如く、断面が概Ｕ字形状に形成されてある帯鋼３３、芯線４０及びブラシ片３２より構成されてある。ブラシ片３２は、複数のスリット３６を有し、弾性を有する合成樹脂発泡体より形成されてあり、端部３９を形成するように、折り込んだ後、帯鋼３３及び芯線４０に挟みつけて形成されてある。ブラシ片３２の両外側面３４には、チャンネルブラシ３１の長手方向にたいして、弾性を有する幅５７の接着層５５が連続的に形成されてある。また、接着層５５は、ブラシ片３２の両外側面３４に形成されてあると共に、帯鋼３３の両端部３８にたいしても、接合するように形成されてある。
【００１８】
本発明の実施の形態２の洗浄ブラシ用チャンネルブラシは、上記の如くの構成となっている為、チャンネルブラシ３１の長手方向にたいして、ブラシ片３２の両外側面３４に形成されてあると共に、帯鋼３３の両端部３８にたいしても、接合するように形成されてある接着層５５が、ブラシ片３２の根元からの毛倒れを防止すると共に、ブラシ片３２が、帯鋼３３の端部３８により、ひきちぎられることを防止する。また、ブラシ片３２は、接着層５５により、幅５７にて帯鋼３３の端部３８と連結されて形成されてある為、ブラシ片３２の被洗浄面にたいする加圧力を強くすることができると共に、毛腰を強く保持することができる。その為、被洗浄面に塵埃が強固に付着している場合であっても、より大きな加圧力にて、迅速かつ効果的に掻き出すことができる。
【００１９】
本発明の実施の形態２の洗浄ブラシ用チャンネルブラシは、上記の如くの構成となっているが、接着層５５の厚みについては、使用目的に応じて、適時、設定して形成しても、何ら支障は無い。
【００２０】
【発明の効果】
以上の説明から明らかなように、本発明の洗浄ブラシは次に示すような効果を得ることができる。なお、説明にあたっては、請求項の番号と同じ番号を付して説明する。
【００２１】
（１）チャンネルブラシの長手方向にたいして、ブラシ片の両外側面に連続的に形成されてある接着層が、ブラシ片の両外側への毛倒れを防止することができる。また、ブラシ片は、接着層により、所定の幅にて連結されて形成されてある為、ブラシ片の強度を強くすることができると共に、毛腰を強くすることができる。その為、被洗浄面に塵埃が強固に付着している場合であっても、迅速かつ効果的に掻き出すことができる。また、チャンネルブラシの長手方向にたいして、複数の弾性を有する所定の幅の接着層を連続的に形成した場合には、接着層が、ブラシ片の両外側への毛倒れを防止することができると共に、毛倒れにたいするブラシ片の反力を、ブラシ片の端部から帯鋼の端部に近づく程、強く、設定できる。また、ブラシ片の強度を強くすることができると共に、毛腰を強くすることができる。その為、被洗浄面に塵埃が強固に付着している場合であっても、長期間にわたり、迅速かつ効果的に掻き出すことができる。
【００２２】
（２）チャンネルブラシの長手方向にたいして、ブラシ片の両外側面に形成されてあると共に、帯鋼の両端部にたいしても、接合するように形成されてある接着層が、ブラシ片の根元からの毛倒れを防止すると共に、ブラシ片が、帯鋼の端部により、ひきちぎられることを防止する。また、ブラシ片は、接着層により、所定の幅にて帯鋼の端部と連結されて形成されてある為、ブラシ片の被洗浄面にたいする加圧力を強くすることができると共に、毛腰を強く保持することができる。その為、被洗浄面に塵埃が強固に付着している場合であっても、より大きな加圧力にて、迅速かつ効果的に掻き出すことができる。
【図面の簡単な説明】
【図１】従来の洗浄ブラシに使用するチャンネルブラシの一例を示す斜視図である。
【図２】従来の洗浄ブラシに使用するチャンネルブラシの台座の一例を示す斜視図である。
【図３】従来の洗浄ブラシに使用するチャンネルブラシの製作状態を示す斜視図である。
【図４】本発明の実施の形態１の洗浄ブラシ用チャンネルブラシを示す斜視図である。
【図５】本発明の実施の形態１の他の実施例の洗浄ブラシ用チャンネルブラシを示す斜視図である。
【図６】本発明の実施の形態２の洗浄ブラシ用チャンネルブラシを示す斜視図である。
【符号の説明】
１、１１、２１、３１　チャンネルブラシ
２、１２、２２、３２　ブラシ片　３、１３、２３、３３　帯鋼
４　台座　５　止め金具　６　爪　７　ネジ　８　洗浄ブラシ
９　端部　１０、２０、３０、４０　芯線
１４、２４、３４　外側面　１５、２５、３５、４５、５５　接着層
１６、２６、３６　スリット　１７、２７、３７、４７、５７　幅
１８、１９、２８、２９、３８、３９　端部
【図１】
2004033685.tif 000003
【図２】
2004033685.tif 000004
【図３】
2004033685.tif 000005
【図４】
2004033685.tif 000006
【図５】
2004033685.tif 000007
【図６】
2004033685.tif 000008